(57)【要約】【課題】主に自動車のルームランプやハザードランプ等の消点灯操作用の押釦スイッチに関し、簡易な構成で、低背化の可能なものを提供することを目的とする。【解決手段】操作体１０の操作部１０Ａに凹状の保持部１０Ｃを形成するとともに、この保持部１０Ｃ内に押釦１５下面から突出した取付部１５Ａを収納することによって、スイッチ全体としては取付部１５Ａ分の寸法が不要となり、簡易な構成で、低背化を図った押釦スイッチを得ることができる。【選択図】図１
2006269146.tif 000002
【特許請求の範囲】
【請求項１】
上面開口の略箱状のケースと、上記ケース内に上下動可能に収納された操作体と、この操作体の上下動に伴って電気的接離を行うスイッチ接点と、上記ケース上面から突出した上記操作体の操作部に装着された押釦からなり、上記操作部に凹状の保持部を形成すると共に、この保持部内に上記押釦下面から突出した取付部を収納した押釦スイッチ。
【請求項２】
押釦の取付部を、操作体の保持部内に圧入係合させた請求項１記載の押釦スイッチ。
【発明の詳細な説明】
【技術分野】
【０００１】
本発明は、主に自動車のルームランプやハザードランプ等の消点灯操作に用いる押釦スイッチに関するものである。
【背景技術】
【０００２】
近年、自動車のルームランプやハザードランプ等の消点灯操作用として、他のインストルメントパネル等の操作スイッチとは異なり、ＯＮ／ＯＦＦ時の操作位置が判り易いように操作ストロークの長い、所謂、長ストロークの押釦スイッチを用いることが増えてきている。
【０００３】
このような従来の押釦スイッチについて、図７及び図８を用いて説明する。
【０００４】
図７は従来の押釦スイッチの部分断面図であり、同図において、１は上面開口の略箱状で絶縁樹脂製のケースで、ケース１内には複数の固定接点２が植設され、その端子部がケース１側面から外方に延出している。
【０００５】
そして、３は絶縁樹脂製の操作体で、ケース１内に上下動可能に収納されると共に、この操作体３の上下動に伴って、操作体３に固定された可動接片（図示せず）が、ケース１内の固定接点２と電気的接離を行うようにしてスイッチ接点が構成されている。
【０００６】
また、４はケース１上面の開口部を覆うカバーで、このカバー４上面略中央の通孔（図示せず）から、操作体３の操作部３Ａが上方ヘ突出すると共に、操作部３Ａ上端には先端部３Ｂとこれより幅の小さな係合溝３Ｃが設けられている。
【０００７】
さらに、５は絶縁樹脂製の押釦で、下面略中央にはコの字状に対向した長さ寸法Ａの取付部５Ａが下方へ突出して形成され、この取付部５Ａが操作体３の先端部３Ｂや係合溝３Ｃ外周を覆うと共に、取付部５Ａ内周の突起部５Ｂが係合溝３Ｃに係合して、押釦５が操作体３に装着されている。
【０００８】
なお、取付部５Ａ下端とカバー４上面との間には、操作体３が上下動するストロークＬに相当する寸法分の間隙が空けられている。
【０００９】
従って、カバー４上面から押釦５上面までの寸法は、このストロークＬ分の間隙に、押釦５下面の取付部５Ａの長さ寸法Ａ、及び押釦５の厚さを加えた高さとなっている。
【００１０】
そして、ケース１内には操作体３を上方に付勢するコイルばね（図示せず）が収納されると共に、操作体３のカム部（図示せず）やストッパ（図示せず）によってロック機構が形成されて、押釦スイッチが構成されている。
【００１１】
また、このような押釦スイッチは、例えば、車室内の天井に取付けられたルームライト装置内の配線基板等に実装され、押釦５が装置の操作パネル（図示せず）の開口部から突出して配置される。
【００１２】
以上の構成において、押釦５を下方へ押圧操作すると、ケース１内のコイルばねを撓めながら操作体３が下方へ移動し、図８の部分断面図に示すように、ストロークＬだけ降下すると、押釦５の取付部５Ａ下端がカバー４上面に当接して、ケース１内のスイッチ接点の電気的接離が行われ、例えばスイッチ接点がＯＮとなって、ルームライトが点灯する。
【００１３】
また、この状態から押釦５への押圧力を解除すると、コイルばねによって付勢された操作体３がやや上方へ移動すると共に、ケース１内のストッパが操作体３のカム部の所定箇所に係止して、操作体３がロックされた状態となる。
【００１４】
さらに、この後、再び押釦５を押圧操作すると、ストッパとカム部との係止が外れてロック状態が解除され、操作体３が上方ヘ移動して、図７の状態に戻ると共に、スイッチ接点がＯＦＦとなりルームライトが消灯するように構成されているものであった。
【００１５】
なお、この出願の発明に関連する先行技術文献情報としては、例えば、特許文献１が知られている。
【特許文献１】特開昭６３−７２０１１号公報
【発明の開示】
【発明が解決しようとする課題】
【００１６】
しかしながら、上記従来の押釦スイッチにおいては、取付部５Ａが操作体３の先端部３Ｂや係合溝３Ｃ外周を覆って、押釦５が操作体３に装着されているため、押釦スイッチの高さはケース１の高さに、押釦５の厚さと操作体３が上下動するストロークＬ、さらに取付部５Ａの長さ寸法Ａを加えた高さとなり、機器全体の薄形化や小型化が進むなか、スイッチの低背化を図ることが困難であるという課題があった。
【００１７】
本発明は、このような従来の課題を解決するものであり、簡易な構成で、低背化を図った押釦スイッチを提供することを目的とする。
【課題を解決するための手段】
【００１８】
上記目的を達成するために本発明は、以下の構成を有するものである。
【００１９】
本発明の請求項１に記載の発明は、ケース上面から突出した操作体の操作部に凹状の保持部を形成すると共に、この保持部内に押釦下面から突出した取付部を収納して押釦を操作部に装着したものであり、押釦の取付部が操作部の保持部内に収納されているため、スイッチ全体としては取付部の分の寸法が不要となり、簡易な構成で、低背化を図った押釦スイッチを得ることができるという作用を有する。
【００２０】
請求項２に記載の発明は、請求項１記載の発明において、押釦の取付部を操作体の保持部内に圧入係合して、押釦を操作体に装着したものであり、操作体に押釦を確実に装着できると共に、組立も容易に行うことができるという作用を有する。
【発明の効果】
【００２１】
以上のように本発明によれば、簡易な構成で、低背化を図った押釦スイッチを実現できるという有利な効果が得られる。
【発明を実施するための最良の形態】
【００２２】
以下、本発明の実施の形態について、図１〜図６を用いて説明する。
【００２３】
なお、背景技術の項で説明した構成と同一構成の部分には同一符号を付して、詳細な説明は簡略化する。
【００２４】
（実施の形態）
図１は本発明の一実施の形態による押釦スイッチの部分断面図、図２は同分解断面図であり、同図において、１は上面開口の略箱状で絶縁樹脂製のケースで、ケース１内には複数の固定接点２が植設され、その端子部がケース１側面から外方に延出している。
【００２５】
そして、１０はポリアミド（ＰＡ）やポリオキシメチレン（ＰＯＭ）等の絶縁樹脂製の操作体で、ケース１内に上下動可能に収納されると共に、この操作体１０の上下動に伴って、操作体１０の両側方に固定された略Ｖ字状の可動接片１２が、ケース１内の固定接点２と電気的接離を行うようにしてスイッチ接点が構成されている。
【００２６】
また、１１はケース１上面の開口部を覆う金属板製または絶縁樹脂製のカバーで、このカバー１１上面略中央の通孔１１Ａを挿通して、操作体１０上部の操作部１０Ａが上方ヘ突出している。
【００２７】
さらに、１３は金属線製のコイルばね、１４は略コ字状で金属線製のストッパで、コイルばね１３が操作体１０下面とケース１内底面との間にやや撓んだ状態で装着されて、操作体１０を上方ヘ付勢すると共に、操作体１０前面に形成された略ハート形のカム部１０Ｂに、下端がケース１の内底面に保持されたストッパ１４の上端が当接して、ロック機構が形成されている。
【００２８】
また、１５は上面が略皿状でアクリロニトリル−ブタジエン−スチレン（ＡＢＳ）等の絶縁樹脂製の押釦で、下面略中央には下方に突出する二股状の取付部１５Ａが形成され、この取付部１５Ａ全体が、操作部１０Ａ上端に設けられた凹状の保持部１０Ｃ内に収納されている。
【００２９】
なお、図３の部分斜視図に示すように、保持部１０Ｃ内に取付部１５Ａを収納する際には、二股状の取付部１５Ａが内側ヘやや弾性変形し、下端外側の突起部１５Ｂが、操作部１０Ａ上端の両側に設けられた凹状の保持部１０Ｃ下方の窪みに弾接して、上方から圧入係合されて押釦スイッチが構成されている。
【００３０】
そして、図１に示すように、押釦１５下面とカバー１１上面との間には、操作体１０が上下動するストロークＬに相当する寸法分の間隙が空けられている。
【００３１】
つまり、押釦１５下面から下方に突出した取付部１５Ａ全体が、操作部１０Ａ上端の凹状の保持部１０Ｃ内に収納され、取付部１５Ａの寸法は保持部１０Ｃ内に含まれているため、カバー１１上面から押釦１５上面までの寸法は、ストロークＬ分の間隙と押釦１５の厚さのみの高さとなっている。
【００３２】
そして、このような押釦スイッチは、例えば、車室内の天井に取付けられたルームライト装置内の配線基板等に実装され、押釦１５が装置の操作パネル（図示せず）の開口部から突出して配置される。
【００３３】
以上の構成において、押釦１５を下方へ押圧操作すると、ケース１内のコイルばね１３を撓めながら操作体１０が下方へ移動し、図４の部分断面図に示すように、ストロークＬだけ下降すると、押釦１５下面がカバー１１上面に当接し、可動接片１２とケース１内の固定接点２によって、スイッチ接点の電気的接離が行われ、例えばスイッチ接点がＯＮとなって、ルームライトが点灯する。
【００３４】
従って、この時のカバー１１上面から押釦１５上面までの寸法は、ストロークＬ分の間隙もなくなり、押釦１５の厚さのみの高さとなっている。
【００３５】
また、この状態から押釦１５への押圧力を解除すると、コイルばね１３によって付勢された操作体１０がやや上方ヘ移動すると共に、ケース１内のストッパ１４が操作体１０のカム部１０Ｂの所定箇所に係止して、操作体１０がロックされた状態となる。
【００３６】
さらに、この後、再び押釦１５を押圧操作すると、ストッパ１４とカム部１０Ｂとの係止が外れてロック状態が解除され、操作体１０が上方ヘ移動して、図１の状態に戻ると共に、スイッチ接点がＯＦＦとなりルームライトが消灯するように構成されている。
【００３７】
このように本実施の形態によれば、操作体１０の操作部１０Ａに凹状の保持部１０Ｃを形成すると共に、この保持部１０Ｃ内に押釦１５下面から突出した取付部１５Ａを収納することによって、スイッチ全体としては取付部１５Ａ分の寸法が不要となり、簡易な構成で、低背化を図った押釦スイッチを得ることができるものである。
【００３８】
また、押釦１５の取付部１５Ａを操作体１０の保持部１０Ｃ内に圧入係合して、押釦１５を操作体１０に装着することによって、操作体１０に押釦１５を確実に装着できると共に、上方から取付部１５Ａを保持部１０Ｃ内へ挿入するだけで、組立も容易に行うことができる。
【００３９】
なお、操作部１０Ａの保持部１０Ｃ内への取付部１５Ａの収納は、図５の部分斜視図に示すように、操作部２０Ａに略角孔状の保持部２０Ｃを設け、この保持部２０Ｃの内側壁に形成した係合孔２０Ｄに、先端が略フック状で弾性を有した取付部２５Ａを圧入係合させて、押釦と操作体を装着しても、本発明の実施は可能である。
【００４０】
さらに、図６の部分斜視図に示すように、操作部３０Ａの隣接する凹状の保持部３０Ｃの略中央に、略球状の係合凸部３０Ｄを設けると共に、取付部３５Ａの内側面に係合凸部３０Ｄに対応した係合凹部３５Ｄを設け、この係合凹部３５Ｄを係合凸部３０Ｄに圧入係合させて、押釦と操作体を装着するようにすれば、略球状の係合凸部３０Ｄに対して係合凹部３５Ｄが、所定の範囲、回転自在に係合されているため、押釦が斜め方向から押圧操作されても、操作体に対して直接斜め方向の荷重が加わらず、上下動時のこじれ等が生じにくいため、動作の良好なものとすることができる。
【産業上の利用可能性】
【００４１】
本発明による押釦スイッチは、簡易な構成で、低背化の可能なものが得られ、主に自動車のルームランプやハザードランプ等の消点灯操作用として有用である。
【図面の簡単な説明】
【００４２】
【図１】本発明の一実施の形態による押釦スイッチの部分断面図
【図２】同分解断面図
【図３】同部分斜視図
【図４】同操作時の部分断面図
【図５】同他の実施の形態による部分斜視図
【図６】同他の実施の形態による部分斜視図
【図７】従来の押釦スイッチの部分断面図
【図８】同操作時の部分断面図
【符号の説明】
【００４３】
１  ケース
２  固定接点
１０  操作体
１０Ａ、２０Ａ、３０Ａ  操作部
１０Ｂ  カム部
１０Ｃ、２０Ｃ、３０Ｃ  保持部
１１  カバー
１１Ａ  通孔
１２  可動接片
１３  コイルばね
１４  ストッパ
１５  押釦
１５Ａ、２５Ａ、３５Ａ  取付部
１５Ｂ  突起部
２０Ｄ  係合孔
３０Ｄ  係合凸部
３５Ｄ  係合凹部
【図１】
2006269146.tif 000003
【図２】
2006269146.tif 000004
【図３】
2006269146.tif 000005
【図４】
2006269146.tif 000006
【図５】
2006269146.tif 000007
【図６】
2006269146.tif 000008
【図７】
2006269146.tif 000009
【図８】
2006269146.tif 000010